(57)【要約】
【課題】
　玉箱の成形作業性を損なうことなく、玉箱の左右外側面に平行突設した把手をそれぞれ横幅が必要最小限の立体把手とすることで、パチンコ遊戯台の前棚に二つの玉箱を隣接台の遊戯者に迷惑を掛けずに並列載置可能にすること。
【解決手段】
　多数のパチンコ玉を収納する玉箱１の左右両側に、それぞれ指通し長孔２を有する把手３を玉箱１と共にその外側面１Ａに平行し、加熱溶融性成形素材で一体的に射出成形したパチンコ玉収納用玉箱を作るに当たり、前記射出成形時における把手部分のスライド金型を各把手の突設方向に抜く外側開放の型抜き凹所４を各把手３の外側面３Ａに形成することで、玉箱１の成形作業性を損なうことなく、その左右外側面１Ａにそれぞれ平行突設した各把手３を横幅が必要最小限の立体把手とすることができた。
【選択図】　　　図１
0003100353.tif 000002
【実用新案登録請求の範囲】
【請求項１】
　多数のパチンコ玉を収納する玉箱の左右両側に、それぞれ指通し長孔を有する把手を玉箱と共にその外側面に平行し、加熱溶融性成形素材で一体的に射出成形した玉箱において、前記射出成形時における把手部分のスライド金型を各把手の突設方向に抜く外側開放の型抜き凹所を各把手の外側面に形成することで、玉箱の左右外側面にそれぞれ平行突設した各把手を横幅が必要最小限の立体把手としたパチンコ玉収納用玉箱。
【考案の詳細な説明】
【技術分野】
【０００１】
　本考案は、多数のパチンコ玉を収納する玉箱に係り、特に本考案は、玉箱の成形作業性を損なうことなく、玉箱の左右外側面にそれぞれ平行突設した各把手を横幅が必要最小限の立体把手としたパチンコ玉収納用玉箱に関する。
【背景技術】
【０００２】
　パチンコ玉収納用玉箱としては、下記の非特許文献１に記載のものが周知である。
　この従来例は、図３のように玉箱１の左右両側にそれぞれ指通し長孔２を有する太い中空の把手３を玉箱１と共にその外側面に平行し、加熱溶融性成形素材で一体的に射出成形したもので、これら各把手３の中心中空部３０をその軸線方向に動くスライド金型で上記射出成形時に同図３のようにかなり大きく形成することで、上記射出成形時における把手部分のスライド金型の冷却水通路を大きくし、上記金型を早く強制冷却できるようにした玉箱であるが、この従来の玉箱１における各把手３には、何分にも前述したように、スライド金型の抜き孔によるかなり大きい中心中空部３０が有るため、各把手の太さ（横幅）が図３のように必要以上に大きなパチンコ玉収納用玉箱である。
【０００３】
　また、上記従来例のほかに、下記非特許文献１の第３３頁の写真のように、玉箱の両側に指通し長孔付きの平板状把手を一体突設したパチンコ玉収納用玉箱とか、同文献の第３５頁の写真のように、玉箱の両側に突設した把手として、玉箱成形金型を玉箱の底板方向に抜く下部開放で二枚並列の縦板状（足駄状）把手を備えた玉箱も周知である。
【非特許文献１】株式会社光新星　発行のカタログ集「Ｇｕｉｄｅ」２０００年度版４６の第３１頁〜第３５頁のパチンコ玉収納用玉箱の写真。
【考案の開示】
【考案が解決しようとする課題】
【０００４】
　前記各従来例のうち前者は、左右各把手の中心中空部を前述したよう大きく形成する必要が有るので、各把手の横幅が必然的に大きくなって玉箱全体の横幅も大きくなってしまうから、パチンコ遊戯台の前棚に二つの玉箱を隣接台の遊戯者に迷惑を掛けずに並列載置できないので、所謂「大当たり」の時にパチンコ遊戯台の球打ち操作を片手で継続しながら、遊戯台の出玉受け内に出て来た出玉を他方の手で二つ目の玉箱に連続して移行できず、折角の勝機を失してしまい易かったという本質的かつ、大きな問題点が有る。
　また、後者の各従来例では把手が平板状または縦板状（足駄状）のため、多数のパチンコ玉を収納した重い玉箱を両手で持ち上げた際に、上記各板状把手の縁辺が手指に強く食い込んで手指が痛くなるという本質的かつ、大きな問題点が有る。
【０００５】
　この考案は、上記各従来例における多くの問題点を除去するために、玉箱の成形作業性を損なうことなく、玉箱の左右外側面に平行突設した把手をそれぞれ横幅が必要最小限の立体把手とすることで、パチンコ遊戯台の前棚に二つの玉箱を隣接台の遊戯者に迷惑を掛けずに並列載置可能にすることを目的とする。
【課題を解決するための手段】
【０００６】
　上記した本考案の目的は、多数のパチンコ玉を収納する玉箱の左右両側に、それぞれ指通し長孔を有する把手を玉箱と共にその外側面に平行し、加熱溶融性成形素材で一体的に射出成形したパチンコ玉収納用玉箱を作るに当たり、前記射出成形時における把手部分のスライド金型を各把手の突設方向に抜く外側開放の型抜き凹所を各把手の外側面に形成することで、玉箱の左右外側面にそれぞれ平行突設した各把手を横幅が必要最小限の立体把手としたことで達成できた。
【考案の効果】
【０００７】
　本考案は、以上のような手段を採用したので、以下に記載の効果を奏する。
　この考案によれば、パチンコ玉収納用玉箱の射出成形時における把手部分のスライド金型を各把手の突設方向に抜く外側開放の型抜き凹所を各把手の外側面に形成することで、玉箱の射出成形時におけるスライド金型を上記把手部分の外側開放端から食み出して設置できる程度に大きくでき、その冷却水通路も大きくできる。
【０００８】
　したがって、上記射出成形直後における高温のスライド金型を急速に強制水冷して前記外側開放の型抜き凹所から素早く抜去できるので、玉箱全体の成形作業性を損なうことなく、前記各把手をそれぞれ横幅が必要最小限の立体把手にでき、パチンコ遊戯台の前棚に二つの玉箱を隣接台の遊戯者に迷惑を掛けずに並列載置することができ、所謂「大当たり」の時にパチンコ遊戯台の球打ち操作を片手で継続しながら、遊戯台の出玉受け内に出てきた出玉を他方の手で二つ目の玉箱に連続して移行できるという優れた効果が有る。
【０００９】
　また、この考案によれば、前記各把手をそれぞれ横幅が必要最小限に小さくしても、各把手は、その縦断面形状がほぼコ字状の立体的な把手だから、多数のパチンコ玉を収納した１０ｋｇ程度の重い玉箱を２〜３個重ねて両手で持ち上げても、各把手が立体的だから把手を手指で握り持ち易く、しかも把手が手指に食い込まず、素人でも上記重い玉箱を手指を痛めることなく安全に両手で持ち運びできるという優れた効果も有る。
【００１０】
　以上要するに本考案は、前記玉箱の射出成形時における把手部分のスライド金型を各把手の突設方向に抜く外側開放の型抜き凹所を各把手の外側面に形成することで、前記玉箱成形直後における高温のスライド金型を急速に強制水冷してこの金型を各把手の外側開放端から素早く抜去することができ、玉箱の成形作業性を損なわずに把手をそれぞれ横幅が必要最小限の立体把手にできたから、本考案による玉箱は二つ並べてパチンコ遊戯台の前棚に隣接台の遊戯者に迷惑を掛けずに載置できるし、多数のパチンコ玉を収納した重い玉箱を前述した立体把手で手指を痛めることなく安全に両手で持ち運びできる。
【考案を実施するための最良の形態】
【００１１】
　本考案の実施形態例としては、図１のように多数のパチンコ玉を収納する玉箱１の左右両側に、それぞれ指通し長孔２を有する把手３を玉箱１と共にポリ・カーボネートなどの加熱溶融性成形素材で、同図１のように玉箱外側面１Ａに平行して前後の張り出し突片１Ｂを介し、一体的に射出成形したパチンコ玉収納用玉箱を作るに当たり、前記各把手３の外側面３Ａに、その射出成形時における把手部分のスライド金型を各把手の突設方向に抜く外側開放の型抜き凹所４を形成し、各把手３の縦断面形状を図１および図２のように外側開放のほぼコ字状とすることで、上記射出成形後における冷却済スライド金型を各把手の上記外側開放の型抜き凹所４の外側開放端から抜去でき、玉箱の左右外側面にそれぞれ平行突設した前記各把手３を図１・図２のように横幅が必要最小限の立体把手とした本考案によるパチンコ玉収納用玉箱を構成できた。
【００１２】
　そして、この玉箱を使用するに当っては、パチンコ遊戯台（周知のものでよいから図示せず）の前棚に二つの玉箱を隣接台の遊戯者に迷惑を掛けずに並列載置することができ、所謂「大当たり」の時にパチンコ遊戯台の球打ち操作を一方の手指で継続しながら遊戯台の出玉受け内に出てきた出玉を他方の手指などで二つ目の玉箱１に連続して移行できるし、多数のパチンコ玉を収納した１０ｋｇ程度の重い玉箱１を２〜３個重ねて両手で持ち上げても、玉箱１の左右外側面１Ａにそれぞれ平行突設した各把手３が立体的だから、これらの把手３を手指で握り持ち易く、しかも把手３は手指に食い込まず、素人でも上記重い玉箱１を手指を痛めることなく安全に両手で持ち運びできる。
【図面の簡単な説明】
【００１３】
【図１】本考案の形態例を示す斜視図
【図２】図１に示すものの要部の部分的拡大断面図
【図３】従来のパチンコ玉収納用玉箱の一例を示す斜視図
【符号の説明】
【００１４】
　１　玉箱
１Ａ　玉箱外側面
１Ｂ　張り出し突片
　２　指通し長孔
　３　把手
３Ａ　把手の外側面
　４　外側開放の型抜き凹所
【図１】
0003100353.tif 000003
【図２】
0003100353.tif 000004
【図３】
0003100353.tif 000005